(57)【特許請求の範囲】
【請求項１】
インターネットを介して第１の映像コンテンツ又は前記第１の映像コンテンツに関する情報を受信するネットワークインターフェース部と、
予め定めた条件に従って前記第１の映像コンテンツと同一性を有する第２の映像コンテンツをネットワーク上または自装置内から検索して検出する検索部と、
前記第１または第２の映像コンテンツを利用コンテンツとして選択する選択部と、
を備え、
予め定めた条件に従って、前記第１の映像コンテンツが利用上の制約に触れるか否かを判定する制約有無判定部をさらに備え、
前記検索部が前記第２の映像コンテンツを検出しない場合であって、前記制約有無判定部が前記第１の映像コンテンツが利用上の制約に触れないと判定した場合は、前記選択部は、前記第１の映像コンテンツを前記利用コンテンツとして選択する、
映像コンテンツ検索装置。
【請求項２】
インターネットを介して第１の映像コンテンツ又は前記第１の映像コンテンツに関する情報を受信するネットワークインターフェース部と、
予め定めた条件に従って前記第１の映像コンテンツと同一性を有する第２の映像コンテンツをネットワーク上または自装置内から検索して検出する検索部と、
前記第１または第２の映像コンテンツを利用コンテンツとして選択する選択部と、
を備え、
予め定めた条件に従って、前記第１の映像コンテンツが利用上の制約に触れるか否かを判定する制約有無判定部と、
前記第１、第２の映像コンテンツの解像度を判別する解像度判別部と、をさらに備え、
前記検索部が前記第２の映像コンテンツを検出した場合であって、前記制約有無判定部が前記第１の映像コンテンツが利用上の制約に触れないと判定した場合は、前記選択部は、前記第１、第２の映像コンテンツのうち、より解像度の高い方を前記利用コンテンツとして選択する、
映像コンテンツ検索装置。
【請求項３】
前記検索部は、前記映像コンテンツ検索装置に備えられた記憶部又は前記ネットワーク上に存在する記憶部を検索することにより、前記第２の映像コンテンツを検出する、
請求項１または請求項２に記載の映像コンテンツ検索装置。
【請求項４】
前記検索部は、前記インターネット上の正規のコンテンツ配信サービスを検索することにより、前記第２の映像コンテンツを検出する、
請求項１から請求項３のいずれか一項に記載の映像コンテンツ検索装置。
【請求項５】
外部のアンテナが受信した信号を復調するチューナー部をさらに備え、
前記チューナー部が復調した信号に基づく映像コンテンツは、前記映像コンテンツ検索装置に備えられた記憶部又は前記ネットワーク上に存在する記憶部に記憶可能である、
請求項１から請求項４のいずれか一項に記載の映像コンテンツ検索装置。
【請求項６】
請求項１に記載の映像コンテンツ検索装置を用いた映像コンテンツ検索方法であって、
（ａ）前記ネットワークインターフェース部がインターネットを介して前記第１の映像コンテンツ又は前記第１の映像コンテンツに関する情報を受信する工程と、
（ｂ）前記工程（ａ）の後、前記検索部が前記第２の映像コンテンツを検索する工程と、
（ｃ）前記工程（ｂ）の後、前記選択部が前記第１または第２の映像コンテンツを利用コンテンツとして選択する工程と、
を備え、
（ｄ）前記映像コンテンツ検索装置に備わる制約有無判定部が、予め定めた条件に従って前記第１の映像コンテンツが利用上の制約に触れるか否かを判定する工程をさらに備え、
前記工程（ｂ）において前記検索部が前記第２の映像コンテンツを検出しなかった場合であって、前記工程（ｄ）において前記第１の映像コンテンツが利用上の制約に触れないコンテンツであると判定された場合、前記工程（ｃ）において前記選択部は、前記第１の映像コンテンツを前記利用コンテンツとして選択する、
映像コンテンツ検索方法。
【請求項７】
請求項２に記載の映像コンテンツ検索装置を用いた映像コンテンツ検索方法であって、
（ａ）前記ネットワークインターフェース部がインターネットを介して前記第１の映像コンテンツ又は前記第１の映像コンテンツに関する情報を受信する工程と、
（ｂ）前記工程（ａ）の後、前記検索部が前記第２の映像コンテンツを検索する工程と、
（ｃ）前記工程（ｂ）の後、前記選択部が前記第１または第２の映像コンテンツを利用コンテンツとして選択する工程と、
を備え、
（ｄ）前記映像コンテンツ検索装置に備わる制約有無判定部が、予め定めた条件に従って前記第１の映像コンテンツが利用上の制約に触れるか否かを判定する工程と、
（ｅ）前記選択部が、前記第１の映像コンテンツの解像度と、前記第２の映像コンテンツの解像度とを比較する工程と、
をさらに備え、
前記工程（ｂ）において前記検索部が前記第２の映像コンテンツを検出した場合であって、前記工程（ｄ）において前記第１の映像コンテンツが利用上の制約に触れないと判定された場合、前記工程（ｃ）において、前記選択部は、前記工程（ｅ）において解像度がより大きいと判定された映像コンテンツを前記利用コンテンツとして選択する、
映像コンテンツ検索方法。
【請求項８】
前記工程（ｂ）において、前記検索部は、前記第２の映像コンテンツを検出するために、前記映像コンテンツ検索装置に備えられた記憶部又は前記ネットワーク上に存在する記憶部を検索する、
請求項６又は請求項７に記載の映像コンテンツ検索方法。
【請求項９】
前記工程（ｂ）において、前記検索部は、前記第２の映像コンテンツを検出するために、前記インターネット上の正規のコンテンツ配信サービスを検索する、
請求項６から請求項８のいずれか一項に記載の映像コンテンツ検索方法。
【発明の詳細な説明】
【技術分野】
【０００１】
本発明は映像コンテンツ検索装置および映像コンテンツ検索方法に関し、特にネットワーク接続機能を備える映像コンテンツ検索装置に関する。
【背景技術】
【０００２】
近年、インターネット上の動画共有サービス（例えば、ユーチューブ（Ｙｏｕ  Ｔｕｂｅ（登録商標）））が人気を集めており、パーソナルコンピューター（ＰＣ）やネットワーク接続機能を備えたテレビなどの映像表示装置を利用して、動画共有サーバにアップロードされた動画を多くのユーザーが視聴することができる。
【０００３】
このような動画共有サービスでは、一般的に、アップロードされている映像コンテンツはファイルサイズの問題から、低解像度である場合が多い。また、高解像度の映像コンテンツがアップロードされている場合でも、インターネットの通信速度の制約などから、再生設定を低解像度に切り替えて視聴せざるを得ない場合が多い。そのため結果として、元のコンテンツが高解像度である場合でも、ユーザーは低解像度で同コンテンツの視聴を強いられるという問題があった。
【０００４】
動画共有サービスにアップロードされている映像コンテンツには、放送局が放送した番組を第三者が自身でキャプチャーした物が多い。従って、これらの映像コンテンツには複製および二次利用の制限（例えば著作権上の制約）がある場合が多い。よって、映像コンテンツの制約に気が付かないユーザーが、これらの制約のあるコンテンツを選択して、ストリーミング視聴やダウンロード視聴をする行為がその制約に触れる（例えば、著作権侵害）可能性がある。
【０００５】
一方で、放送局が放送した番組は、特に放送時期が直近の場合、ユーザーが所有する放送番組録画レコーダやホームサーバに録画済みである可能性がある。また、放送局が放送した番組は、放送事業者自身あるいはコンテンツ配信業者によって、インターネット上において正規に配信されている可能性がある。
【０００６】
ホームサーバなどに記憶されたコンテンツとインターネット上に配信されているコンテンツを管理する技術として、例えば特許文献１および特許文献２が知られている。
【先行技術文献】
【特許文献】
【０００７】
【特許文献１】特開２０１１−１９９７０８号公報
【特許文献２】特開２００４−１９３９２０号公報
【発明の概要】
【発明が解決しようとする課題】
【０００８】
特許文献１に記載の技術は、ホームサーバなどに記憶された過去の映像コンテンツと、配信などによる現在又は未来の映像コンテンツをユーザー嗜好に基づき番組表とし、一元管理するものである。特許文献１においては、動画共有サイトを、ユーザーの嗜好に合ったコンテンツの取得先のひとつとして位置付けているだけである。動画共有サイトから取得したコンテンツはそのままの解像度でユーザーに提供される。
【０００９】
また、動画共有サイトから取得した映像コンテンツはそのままホームサーバなどに記憶しており、映像コンテンツに複製および二次利用の制限ある場合、その制約に触れる可能性がある。
【００１０】
また、特許文献２に記載の装置およびシステムは、現在放送中の番組に加え過去・未来の番組をシームレスにユーザーが選択できる手段と、放送経路と通信経路を自由に選択可能とした手段を提供している。しかしながら、動画共有サイトに任意にアップロードされたコンテンツについては考慮されていない。
【００１１】
本発明は以上のような課題を解決するためになされたものであり、ユーザーが映像コンテンツの利用上の制約に触れる可能性を低減し、かつ、より高解像度の映像コンテンツを視聴可能な映像コンテンツ検索装置および映像コンテンツ検索方法の提供を目的とする。
【課題を解決するための手段】
【００１２】
本発明に係る第１の映像コンテンツ検索装置は、インターネットを介して第１の映像コンテンツ又は第１の映像コンテンツに関する情報を受信するネットワークインターフェース部と、予め定めた条件に従って第１の映像コンテンツと同一性を有する第２の映像コンテンツをネットワーク上または自装置内から検索して検出する検索部と、第１または第２の映像コンテンツを利用コンテンツとして選択する選択部と、を備え、予め定めた条件に従って、第１の映像コンテンツが利用上の制約に触れるか否かを判定する制約有無判定部をさらに備え、検索部が第２の映像コンテンツを検出しない場合であって、制約有無判定部が第１の映像コンテンツが利用上の制約に触れないと判定した場合は、選択部は、第１の映像コンテンツを利用コンテンツとして選択する。
本発明に係る第２の映像コンテンツ検索装置は、インターネットを介して第１の映像コンテンツ又は第１の映像コンテンツに関する情報を受信するネットワークインターフェース部と、予め定めた条件に従って第１の映像コンテンツと同一性を有する第２の映像コンテンツをネットワーク上または自装置内から検索して検出する検索部と、第１または第２の映像コンテンツを利用コンテンツとして選択する選択部と、を備え、予め定めた条件に従って、第１の映像コンテンツが利用上の制約に触れるか否かを判定する制約有無判定部と、第１、第２の映像コンテンツの解像度を判別する解像度判別部と、をさらに備え、検索部が第２の映像コンテンツを検出した場合であって、制約有無判定部が第１の映像コンテンツが利用上の制約に触れないと判定した場合は、選択部は、第１、第２の映像コンテンツのうち、より解像度の高い方を利用コンテンツとして選択する。
【発明の効果】
【００１３】
本発明に係る第１の映像コンテンツ検索装置は、インターネット上の映像コンテンツ（第１のコンテンツ）と同一性を有する第２の映像コンテンツの検索を行う。そして、検索の結果、第２の映像コンテンツを検出しない場合であって、第１の映像コンテンツが利用上の制約に触れないと判定した場合は、第１の映像コンテンツを利用コンテンツとして選択する。よって、ユーザーは、第２の映像コンテンツが検出されなくても著作権侵害等の可能性を心配することなく映像コンテンツを視聴することができる。
本発明に係る第２の映像コンテンツ検索装置は、第２の映像コンテンツを検出した場合であって、第１の映像コンテンツが利用上の制約に触れないと判定した場合、第１、第２の映像コンテンツのうち、より解像度の高い方を利用コンテンツとして選択する。よって、ユーザーは、より画質の高い映像コンテンツを著作権侵害等の可能性を心配することなく視聴することができる。
【００１４】
また、インターネット上の映像コンテンツは、比較的解像度が低いため、第２の映像コンテンツを選択することにより、ユーザーはより高い解像度で映像コンテンツを視聴することができる。
【図面の簡単な説明】
【００１５】
【図１】実施の形態１に係る映像コンテンツ検索装置のブロック図である。
【図２】実施の形態１に係る映像コンテンツ検索装置のネットワーク接続を示す模式図である。
【図３】実施の形態１に係る映像コンテンツ検索装置の動作を示すフローチャートである。
【図４】実施の形態２に係る映像コンテンツ検索装置の動作を示すフローチャートである。
【図５】実施の形態３に係る映像コンテンツ検索装置のブロック図である。
【図６】実施の形態３に係る映像コンテンツ検索装置の動作を示すフローチャートである。
【発明を実施するための形態】
【００１６】
＜実施の形態１＞
＜構成＞
図１は、実施の形態１における映像コンテンツ検索装置１００の機能ブロック図である。また、図２は、映像コンテンツ検索装置１００と他の機器およびネットワークとの接続関係を示す模式図である。
【００１７】
本実施の形態１において、映像コンテンツ検索装置１００は例えば液晶テレビである。図１に示すように、映像コンテンツ検索装置１００は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、コンテンツ情報記憶部１０４と、操作認識部１０５と、チューナー部１０９と、信号復調部１１０と、トランスポートストリームデコーダ部１１２と、ストリーム蓄積部１１３と、ストリーム制御部１１４と、ＡＶデコーダ部１１５と、選択部１１７と、検索部１１８と、映像制御部１１９と、音声制御部１２０と、ネットワークインターフェース部１２４とを備える。
【００１８】
また、チューナー部１０９にアンテナ１０７が接続される。映像制御部１１９、音声制御部１２０には映像表示部１２１、音声出力部１２２がそれぞれ接続される。ネットワークインターフェース部１２４は、インターネットやホームネットワークを含むネットワーク１２５と接続される。
【００１９】
映像表示部１２１は例えば液晶ディスプレイである。また、音声出力部１２２はスピーカである。なお、映像コンテンツ検索装置１００は映像表示部１２１および音声出力部１２２を備えず、外部のディスプレイおよびスピーカと接続する構成としてもよい。
【００２０】
アンテナ１０７は放送局２０１からの放送波を受信する。チューナー部１０９は、アンテナ１０７からのアンテナ信号１０８を受信して信号復調部１１０にて復調を行う。復調した信号の各種情報は、受信コンテンツ情報１１１としてＣＰＵ１０１に送られる。トランスポートストリームデコーダ部１１２は、信号復調部１１０にて復調された復調データをデコードしてパーシャルストリームに変換する。
【００２１】
ストリーム制御部１１４は、トランスポートストリームデコーダ部１１２、ストリーム蓄積部１１３、ＡＶデコーダ部１１５との間でパーシャルストリームの流れを制御する。ストリーム蓄積部１１３はパーシャルストリームを蓄積する。ＡＶデコーダ部１１５は、パーシャルストリームを映像信号と音声信号に分離、変換する。ＡＶデコーダ部１１５に備わる解像度判別部１１６は、ストリームの解像度を判別する。検索部１１８および選択部１１７の動作は後述する。
【００２２】
映像制御部１１９は、ＡＶデコーダ部１１５で分離された映像信号を映像表示部１２１に出力する。音声制御部１２０は、ＡＶデコーダ部１１５で分離された音声信号を音声出力部１２２に出力する。
【００２３】
図２に示すように、映像コンテンツ検索装置１００は、ユーザーの宅内２０４においてホームネットワーク２０９に接続される。また、ホームネットワーク２０９には例えばパーソナルコンピュータ（ＰＣ）２０８、ホームサーバ２０６、レコーダ２０７、ディスプレイ２０５などが接続されることがある。
【００２４】
ホームネットワーク２０９はインターネット２１０に接続される。インターネット２１０上において、Ｙｏｕ  Ｔｕｂｅ（登録商標）等の動画共有サービス２１１、正規の有料動画配信サービス２１２などが利用可能である。つまり、映像コンテンツ検索装置１００を使用することにより、ユーザーは、動画共有サービス２１１、正規の有料動画配信サービス２１２を利用することができる。また、一般に、携帯情報端末２１４を用いて、無線通信によりインターネット２１０に接続することも行われている。
【００２５】
ユーザーは、例えば動画共有サービス２１１から配信されるコンテンツを、映像コンテンツ検索装置１００を用いて視聴する。また、ユーザーは映像コンテンツ検索装置１００を用いて、ホームサーバ２０６、レコーダ２０７およびＰＣ２０８に蓄積したコンテンツを視聴することもできる。
【００２６】
コンテンツ情報記憶部１０４およびストリーム蓄積部１１３は、例えば個々または共通のハードディスクドライブ（ＨＤＤ）により実現される。チューナー部１０９および復調部１１０は、電気回路で実現する信号処理回路により実現される。トランスポートストリームデコーダ部１１２、ストリーム制御部１１４、ＡＶデコーダ部１１５および選択部１１７、映像制御部１１９および音声制御部１２０は、例えば、ＣＰＵ１０１とは別の図示しないプロセッサが、ＲＯＭ１０２に記憶されているプログラムを実行することにより実現される。また、トランスポートストリームデコーダ部１１２、ストリーム制御部１１４、ＡＶデコーダ部１１５および選択部１１７、映像制御部１１９および音声制御部１２０の一部または全部は、電気回路で実現する信号処理回路によって実現されてもよい。
【００２７】
検索部１１８は、ＣＰＵ１０１又は専用のプロセッサがＲＯＭ１０２に記憶されているプログラムを実行することにより実現される。選択部１１７は、ＣＰＵ１０１又は専用のプロセッサがＲＯＭ１０２に記憶されているプログラムを実行することにより実現される。また、選択部１１７は、信号処理回路により実現してもよい。なお、ＲＡＭ１０３は、ＣＰＵ１０１および図示しないプロセッサが演算を行う際に利用される。
【００２８】
＜基本動作＞
映像コンテンツ検索装置１００の基本動作について説明する。操作入力部１０６は、例えば映像表示装置１００（即ち液晶テレビ）のリモコンである。操作入力受信部１０５は例えばリモコン受光部である。ユーザーは、操作入力部１０６を操作することにより、ネットワークインターフェース部１２４を経由して、インターネット２１０上にある動画共有サービス２１１にアクセスする。ユーザーは、動画共有サービス２１１にアップロードされているコンテンツを選択して再生するなどの操作を行う。
【００２９】
放送中の番組を録画する場合の動作を説明する。アンテナ１０７が受信したアンテナ信号１０８は、チューナー部１０９に送られる。アンテナ信号１０８は、チューナー部１０９内の信号復調部１１０にてトランスポートストリームに復調される。アンテナ信号１０８、復調されたトランスポートストリームの長さや放送時刻、番組情報などの各種情報は受信コンテンツ情報１１１として速やかにＣＰＵ１０１に通知される。
【００３０】
信号復調部１１０で復調されたトランスポートストリームは、トランスポートストリームデコーダ部１１２に送られる。トランスポートストリームデコーダ部１１２は、トランスポートストリームを、必要な情報のみを抽出したパーシャルトランスポートストリームにデコードする。パーシャルトランスポートストリームは、ストリーム制御部１１４に送られる。パーシャルトランスポートストリームは、ストリーム蓄積部１１３もしくはホームサーバ２０６、レコーダ２０７に記憶される。
【００３１】
なお、ストリーム蓄積部１１３にパーシャルトランスポートストリームを蓄積する際、そのコンテンツに関する各種情報をコンテンツ情報記憶部１０４に記憶しておく。
【００３２】
ユーザーが、録画したコンテンツを視聴する場合の動作について説明する。操作入力受信部１０５がコンテンツ再生の操作を認識すると、再生の指示を受けたコンテンツに対応したパーシャルストリームが、ストリーム蓄積部１１３（もしくはホームサーバ２０６、レコーダ２０７）からストリーム制御部１１４を介してＡＶデコーダ部１１５に送られる。ＡＶデコーダ部１１５に送られたパーシャルストリームは、映像信号と音声信号に分離、変換される。
【００３３】
また、動画共有サービスからのストリームもネットワークインターフェース部１２４を経由して同様にストリーム制御部１１４に送られる。
【００３４】
ストリーム制御部１１４に送られたストリームは、ＡＶデコーダ部１１５に送られ、映像信号と音声信号に分離、変換される。ＡＶデコーダ部１１５は、内部に解像度判別部１１６を備えており、ストリームの解像度を判別する。
【００３５】
映像制御部１１９は、ＡＶデコーダ部１１５で分離された映像信号を映像表示部１２１に出力する。音声制御部１２０は、ＡＶデコーダ部１１５で分離された音声信号を音声出力部１２２に出力する。
【００３６】
＜動画共有サービスのコンテンツを視聴する際の動作＞
図３は、映像コンテンツ検索装置１００の動作を示すフローチャートである。ユーザーが操作入力部１０６を用いて、動画共有サービス２１１の映像コンテンツ（即ち第１の映像コンテンツ）に対する再生操作を行う。すると、映像コンテンツ検索装置１００は、操作入力受信部１０５を介して操作入力を受信して、第１の映像コンテンツに対する再生操作が行われたことを認識する（ステップＳ１０１）。
【００３７】
次に、映像コンテンツ検索装置１００のＣＰＵ１０１は、第１の映像コンテンツに関する情報（即ち配信コンテンツ情報１２６）を、インターネット２１０を介して取得する。そして、検索部１１８は、予め定めた条件に従って、第１の映像コンテンツと同一性を有する第２の映像コンテンツの検索を行う（ステップＳ１０２）。
【００３８】
具体的には、検索部１１８は、送られてきた映像信号と音声信号、ストリーム解像度に加え、受信コンテンツ情報１１１や配信コンテンツ情報１２６、更にはコンテンツ情報記憶部１０４に記憶された記憶情報を参照して、第１の映像コンテンツと同一性を有する第２の映像コンテンツの検索を行う。
【００３９】
例えば、検索部１１８が、コンテンツ情報記憶部１０４に記憶されているコンテンツ情報が所定の条件を満たしていると判断した場合は、ストリーム蓄積部１１３に記憶されている映像コンテンツを第２の映像コンテンツとして検出する。ここで、所定の条件とは、例えば、コンテンツ名が一致することである。
【００４０】
なお、検索範囲はストリーム蓄積部１１３に限らない。ホームネットワーク２０９を介して映像コンテンツ検索装置１００に接続されているホームサーバ２０６、レコーダ２０７等が存在する場合には、検索部１１８は、これらの記憶領域に対して第２の映像コンテンツの検索を行う。
【００４１】
さらに、インターネット２１０上において正規の有料動画配信サービス２１２が利用可能な場合は、検索部１１８は、有料動画配信サービス２１２内においても第２の映像コンテンツの検索を行う。検索部１１８の検索動作の詳細は後述する。
【００４２】
次に、第２の映像コンテンツが検出されたかどうかの判定を行う（ステップＳ１０３）。ステップＳ１０３において第２の映像コンテンツが検出されたと判定された場合、選択部１１７は、第１の映像コンテンツに代えて、第２の映像コンテンツを利用コンテンツとして自動的に選択する。（ステップＳ１０４）。そして、映像コンテンツ検索装置１００は、利用コンテンツの再生を行う（ステップＳ１０５）。
【００４３】
なお、第２の映像コンテンツの再生を行う前に、第２の映像コンテンツが検出されたことを示す画面を表示して、第２の映像コンテンツが検出されたことをユーザーに通知してもよい。映像コンテンツの再生動作は前述した通りである。
【００４４】
一方、ステップＳ１０３において第２の映像コンテンツが検出されたと判定されなかった場合は、第１の映像コンテンツを再生せずに動作を終了する。なお、このとき、第１の映像コンテンツを再生するかどうか選択する画面を表示し、ユーザーが第１の映像コンテンツの再生を選択した場合には、第１の映像コンテンツを利用コンテンツとして選択して再生してもよい。
【００４５】
以下、検索部１１８の検索動作について説明する。検索部１１８は、第１の映像コンテンツに関するコンテンツ情報と、コンテンツ情報記憶部１０４に記憶されているコンテンツ情報とを比較する。コンテンツ情報には、例えば、放送局名、番組名、出演者名、番組のジャンル、放送日時といった情報が含まれている。検索部１１８は、２つのコンテンツ情報が完全に一致あるいは部分的に一致した場合に、２つの映像コンテンツは同一であると判断する。検索部１１８は、同一と判断した映像コンテンツを第２の映像コンテンツとして検出する。
【００４６】
第１と第２の映像コンテンツの放送日時が一致している場合は、第１、第２の映像コンテンツはほぼ確実に同一の映像コンテンツである。従って、本実施の形態１のように、第２の映像コンテンツを利用コンテンツとして自動的に選択する方法は、第１と第２の映像コンテンツの放送日時が一致している場合に特に有効である。
【００４７】
なお、検索部１１８が検索を行った結果、第１の映像コンテンツとコンテンツ情報が部分的に一致する映像コンテンツが複数存在する場合、検索部１１８は、第２の映像コンテンツとしてこれら複数の映像コンテンツを検出する。そして、実施の形態２で後述するように、どの映像コンテンツを再生するかユーザーが選択できるようにしてもよい。
【００４８】
＜効果＞
本実施の形態１における映像コンテンツ検索装置１００は、インターネット２１０を介して第１の映像コンテンツ又は第１の映像コンテンツに関する情報を受信するネットワークインターフェース部１２４と、予め定めた条件に従って第１の映像コンテンツと同一性を有する第２の映像コンテンツをネットワーク上または自装置内から検索して検出する検索部１１８と、第１または第２の映像コンテンツを利用コンテンツとして選択する選択部１１７と、を備える。
【００４９】
本実施の形態１では、動画共有サービス２１１上の映像コンテンツ（第１のコンテンツ）の再生操作がなされた場合は、検索部１１８が、第１の映像コンテンツと同一性を有する第２のコンテンツの検索を行う。そして、検索の結果、第２の映像コンテンツを検出した場合、第１の映像コンテンツに代えて第２の映像コンテンツを利用コンテンツとして選択する。よって、利用上の制約に触れる可能性のある第１の映像コンテンツの利用を避けることが可能である。よって、ユーザーは安心して映像コンテンツを視聴することができる。
【００５０】
また、動画共有サービス２１１上の映像コンテンツは、比較的解像度が低いため、第２の映像コンテンツを選択することにより、ユーザーはより高い解像度で映像コンテンツを視聴することができる。
【００５１】
また、本実施の形態１における映像コンテンツ検索装置１００において、検索部１１８は、映像コンテンツ検索装置１００に備えられた記憶部又はネットワーク上に存在する記憶部を検索することにより、第２の映像コンテンツを検出する。
【００５２】
従って、映像コンテンツ検索装置１００に備わる記憶部（ストリーム蓄積部１１３）だけでなく、ネットワークを介して繋がっている記憶部（ホームサーバ２０６、レコーダ２０７等）を検索することにより、第２の映像コンテンツを検出する可能性を高めることが可能である。
【００５３】
また、本実施の形態１における映像コンテンツ検索装置１００において、検索部１１８は、インターネット２１０上の正規のコンテンツ配信サービスを検索することにより、第２の映像コンテンツを検出する。
【００５４】
例えば、第１の映像コンテンツが放送番組をキャプチャーしたものである場合には、インターネット２１０上の正規のコンテンツ配信サービスにおいて第２の映像コンテンツが配信されている可能性が高い。よって、検索部１１８が、インターネット２１０上の正規のコンテンツ配信サービスを検索することにより、第２の映像コンテンツを検出する可能性を高めることが可能である。
【００５５】
また、本実施の形態１における映像コンテンツ検索装置１００は、外部のアンテナ１０７が受信した信号を復調するチューナー部１０９をさらに備え、チューナー部１０９が復調した信号に基づく映像コンテンツは、映像コンテンツ検索装置１００に備えられた記憶部又は前記ネットワーク上に存在する記憶部に記憶可能である。
【００５６】
従って、映像コンテンツ検索装置１００は、放送番組を受信してストリーム蓄積部１１３、ホームサーバ２０６等に蓄積することが可能となる。よって、第２の映像コンテンツの検索対象が多くなるため、第２の映像コンテンツを検出する可能性を高めることが可能である。
【００５７】
また、本実施の形態１における映像コンテンツ検索装置１００において、検索部１１８が、第２の映像コンテンツを検出した場合、選択部１１７は、第２の映像コンテンツを利用コンテンツとして自動的に選択する。
【００５８】
従って、第２の映像コンテンツが検出された場合、選択部１１７が第２の映像コンテンツを利用コンテンツとして自動的に選択することにより、ユーザーは映像コンテンツの切り替えを意識することなく、快適に映像コンテンツを視聴することができる。
【００５９】
また、本実施の形態１における映像コンテンツ検索方法は、映像コンテンツ検索装置１００を用いた映像コンテンツ検索方法であって、（ａ）ネットワークインターフェース部１２４がインターネット２１０を介して第１の映像コンテンツ又は第１の映像コンテンツに関する情報を受信する工程と、（ｂ）工程（ａ）の後、検索部１１８が第２の映像コンテンツを検索する工程と（ｃ）工程（ｂ）の後、選択部１１７が、第１または第２の映像コンテンツを利用コンテンツとして選択する工程と、を備える。
【００６０】
本実施の形態１では、動画共有サービス２１１上の映像コンテンツ（第１のコンテンツ）の再生操作がなされた場合は、検索部１１８が、第１の映像コンテンツと同一性を有する第２のコンテンツの検索を行う。そして、検索の結果、第２の映像コンテンツを検出した場合、第１の映像コンテンツに代えて第２の映像コンテンツを利用コンテンツとして選択する。よって、利用上の制約に触れる可能性のある第１の映像コンテンツの利用を避けることが可能である。よって、ユーザーは安心して映像コンテンツを視聴することができる。
【００６１】
また、動画共有サービス２１１上の映像コンテンツは、比較的解像度が低いため、第２の映像コンテンツを選択することにより、ユーザーはより高い解像度で映像コンテンツを視聴することができる。
【００６２】
また、本実施の形態１における映像コンテンツ検索方法は、工程（ｂ）において、検索部１１８が、第２の映像コンテンツを検出するために、映像コンテンツ検索装置１００に備えられた記憶部又は前記ネットワーク上に存在する記憶部を検索する。
【００６３】
従って、映像コンテンツ検索装置１００に備わる記憶部（ストリーム蓄積部１１３）だけでなく、ネットワークを介して繋がっている記憶部（ホームサーバ２０６、レコーダ２０７等）を検索することにより、第２の映像コンテンツを検出する可能性を高めることが可能である。
【００６４】
また、本実施の形態１における映像コンテンツ検索方法は、工程（ｂ）において、検索部１１８が、第２の映像コンテンツを検出するために、インターネット２１０上の正規のコンテンツ配信サービスを検索する。
【００６５】
例えば、第１の映像コンテンツが放送番組をキャプチャーしたものである場合には、インターネット２１０上の正規のコンテンツ配信サービスにおいて第２の映像コンテンツが配信されている可能性が高い。よって、検索部１１８が、インターネット２１０上の正規のコンテンツ配信サービスを検索することにより、第２の映像コンテンツを検出する可能性を高めることが可能である。
【００６６】
また、本実施の形態１における映像コンテンツ検索方法は、工程（ｂ）において第２の映像コンテンツが検出された場合、工程（ｃ）において、選択部１１７が、第２の映像コンテンツを利用コンテンツとして自動的に選択する。
【００６７】
従って、第２の映像コンテンツが検出された場合、選択部１１７が第２の映像コンテンツを利用コンテンツとして自動的に選択することにより、ユーザーは映像コンテンツの切り替えを意識することなく、快適に映像コンテンツを視聴することができる。
【００６８】
＜実施の形態２＞
本実施の形態２における映像コンテンツ検索装置２００の構成は実施の形態１（図１）と同じため説明を省略する。実施の形態１では、第２の映像コンテンツが検出された場合、選択部１１７が第２の映像コンテンツを自動的に選択した。これにより、ユーザーに映像コンテンツの差替えを意識させないものとした。
【００６９】
一方、本実施の形態２では、第２の映像コンテンツが検出された場合、第１、第２の映像コンテンツを選択する画面を表示して、どちらの映像コンテンツを選択するかユーザーが決定する。
【００７０】
図４は、映像コンテンツ検索装置２００の動作を示すフローチャートである。ステップＳ１０１からＳ１０３は実施の形態１（図３）と同じため、説明を省略する。図４のステップＳ１０３において第２の映像コンテンツを検出したと判定した場合、映像コンテンツ検索装置２００は、第１、第２の映像コンテンツのどちらを再生するか選択する画面を表示する（ステップＳ１０３１）。なお、実施の形態１で述べたように、第２の映像コンテンツが複数検出された場合は、複数の第２の映像コンテンツから選択可能とする。次に、選択部１１７は、ユーザーが選択した方の映像コンテンツを利用コンテンツとして選択する（ステップＳ１０３２）。そして、映像コンテンツ検索装置２００は、利用コンテンツの再生を行う（ステップＳ１０５）。
【００７１】
＜効果＞
検索部１１８が、前記第２の映像コンテンツを検出した場合、選択部１１７は、第１または第２の映像コンテンツのうち、選択指示を受けた方の映像コンテンツを利用コンテンツとして選択する。
【００７２】
従って、本実施の形態２では、ユーザーは第１、第２の映像コンテンツのどちらを利用するか選択することができるため、ユーザーの自由度を高めることができる。
【００７３】
また、本実施の形態２における映像コンテンツ検索方法は、工程（ｂ）（即ち、第２の映像コンテンツを検索する工程）において第２の映像コンテンツが検出された場合、選択部１１７が、第１または第２の映像コンテンツのうち、選択指示を受けた方の映像コンテンツを利用コンテンツとして選択する。
【００７４】
従って、本実施の形態２では、ユーザーが選択した方の映像コンテンツを利用コンテンツとして選択するため、ユーザーの自由度を高めることができる。
【００７５】
＜実施の形態３＞
図５は、実施の形態３の映像コンテンツ検索装置３００の機能ブロック図である。映像コンテンツ検索装置３００は、映像コンテンツ検索装置１００，２００に対して、制約有無判定部１２７をさらに備える。制約有無判定部１２７は、予め定めた条件に従って、第１の映像コンテンツが利用上の制約に触れるか否かを判定する。
【００７６】
制約有無判定部１２７は例えばＣＰＵ１０１がＲＯＭ１０２に記憶されているプログラムを実行することにより実現される。その他の構成は図１と同じため、説明を省略する。
【００７７】
図６は、映像コンテンツ検索装置３００の動作を示すフローチャートである。ステップＳ２０１からＳ２０３は、図３のステップＳ１０１からＳ１０３と同じため、説明を省略する。
【００７８】
図６のステップＳ２０３において第２の映像コンテンツが検出されたと判定した場合は、次に、制約有無判定部１２７が、第１の映像コンテンツが利用上の制約に触れるか否か（例えば、違法にアップロードされたコンテンツか否か）の判別を行う（ステップＳ２０４）。制約有無判定部１２７の動作の詳細は後述する。
【００７９】
ステップＳ２０４において第１の映像コンテンツが利用上の制約に触れないと判別された場合は、次に、第１の映像コンテンツの解像度が、第２の映像コンテンツの解像度よりも高いか判定を行う（ステップＳ２０５）。
【００８０】
第１の映像コンテンツの方が解像度が高い場合は、選択部１１７は、第１の映像コンテンツを選択する（ステップＳ２０６）。一方、第１の映像コンテンツの方が解像度が高くない場合（即ち、第２の映像コンテンツの方が解像度が高い場合）は、選択部１１７は、第２の映像コンテンツを選択する（ステップＳ２０７）。そして、ステップＳ２０９において、選択された利用コンテンツの再生を行う。
【００８１】
また、ステップＳ２０４において第１の映像コンテンツが利用上の制約に触れると判別された場合は、選択部１１７は、第２の映像コンテンツを選択する（ステップＳ２０７）。
【００８２】
図６のステップＳ２０３において第２の映像コンテンツを検出しないと判定された場合は、次に、制約有無判定部１２７が、第１の映像コンテンツが利用上の制約に触れるか否か（例えば、違法アップロードされたコンテンツか否か）の判別を行う（ステップＳ２０８）。
【００８３】
ステップＳ２０８において第１の映像コンテンツが制約に触れないと判別された場合は、選択部１１７は、第１の映像コンテンツを選択する（ステップＳ２０６）。一方、ステップＳ２０４において第１の映像コンテンツが制約に触れると判別された場合は、第１の映像コンテンツの再生を行わずに動作を終了する。
【００８４】
以下、制約有無判定部１２７の動作を説明する。制約有無判定部１２７は、第１の映像コンテンツが利用上の制約に触れるか否かを判定する。より具体的には、制約有無判定部１２７は、第１の映像コンテンツが、非正規に配信されている商用コンテンツ(即ち有償コンテンツ)である場合に、第１の映像コンテンツは利用上の制約に触れると判定する。第１の映像コンテンツが商用コンテンツかどうかは、コンテンツ情報に含まれる放送局名、番組名、出演者名、番組のジャンルなどから判定することができる。ほとんどの場合、商用コンテンツが正規配信されているサイトは、一般のユーザーが自由に映像をアップロードできる動画共有サイトではなく、映像コンテンツが適切に管理された動画配信サイトである。従って、その商用コンテンツが正規配信されているかどうかは、コンテンツを取得したサイトのＵＲＬから判定することができる。なお、動画共有サイトにおいて商用コンテンツが正規配信されている場合もある。この場合は、アップロード元が放送局やその関連会社など、特定の業者に限られる。
【００８５】
以上のように、制約有無判定部１２７は、コンテンツ情報に基づいて第１の映像コンテンツが商用コンテンツか否かを判定する。また、制約有無判定部１２７は、動画サイトのＵＲＬやアップロード元などの情報に基づいて第１の映像コンテンツが正規配信か否かを判定する。制約有無判定部１２７は、コンテンツ情報、動画サイトのＵＲＬ、アップロード元などの情報を基に、正規配信の可能性の高い情報を予めデータベース化して、第１の映像コンテンツに関する上記情報と照合することにより、利用上の制約の有無を判定することができる。
【００８６】
＜効果＞
本実施の形態３における映像コンテンツ検索装置３００は、予め定めた条件に従って、第１の映像コンテンツが利用上の制約に触れるか否かを判定する制約有無判定部１２７をさらに備え、検索部１１８が第２の映像コンテンツを検出しない場合であって、制約有無判定部１２７が第１の映像コンテンツが利用上の制約に触れないと判定した場合は、選択部１１７は、第１の映像コンテンツを利用コンテンツとして選択する。
【００８７】
本実施の形態３では、第２の映像コンテンツが検出されない場合であっても、制約有無判定部１２７が第１の映像コンテンツが利用上の制約に触れないと判定した場合は、選択部１１７が第１の映像コンテンツを選択する。よって、ユーザーは、第２の映像コンテンツが検出されなくても映像コンテンツを視聴できるため、利便性が向上する。さらに、制約有無判定部１２７が第１の映像コンテンツが利用上の制約に触れるか否かを判定するため、ユーザーは、著作権侵害等の可能性を心配することなく、映像コンテンツを視聴することができる。
【００８８】
また、本実施の形態３における映像コンテンツ検索装置３００は、予め定めた条件に従って、第１の映像コンテンツが利用上の制約に触れるか否かを判定する制約有無判定部１２７と、前記第１、第２の映像コンテンツの解像度を判別する解像度判別部１１６と、備え、検索部１１８が第２の映像コンテンツを検出した場合であって、制約有無判定部１２７が第１の映像コンテンツが利用上の制約に触れないと判定した場合は、選択部１１７は、第１、第２の映像コンテンツのうち、より解像度の高い方を利用コンテンツとして選択する。
【００８９】
本実施の形態３では、第２の映像コンテンツが検出された場合であって、制約有無判定部１２７が第１の映像コンテンツが利用上の制約に触れないと判定した場合は、第１、第２の映像コンテンツの解像度の比較を行う。そして、選択部１１７は、解像度のより高い映像コンテンツを選択する。よって、ユーザーは、より画質の高い映像コンテンツを視聴可能である。さらに、制約有無判定部１２７が第１の映像コンテンツが利用上の制約に触れるか否かを判定するため、ユーザーは、著作権侵害等の可能性を心配することなく、映像コンテンツを視聴することができる。
【００９０】
また、本実施の形態３における映像コンテンツ検索方法は、（ｄ）映像コンテンツ検索装置３００に備わる制約有無判定部１２７が、予め定めた条件に従って、第１の映像コンテンツが利用上の制約に触れるか否かを判定する工程をさらに備え、工程（ｂ）において第２の映像コンテンツを検出しなかった場合であって、工程（ｄ）において第１の映像コンテンツが利用上の制約に触れないコンテンツであると判定された場合、工程（ｃ）において選択部１１７は、第１の映像コンテンツを利用コンテンツとして選択する。
【００９１】
本実施の形態３では、第２の映像コンテンツが検出されない場合であっても、制約有無判定部１２７が第１の映像コンテンツが利用上の制約に触れないと判定した場合は、選択部１１７が第１の映像コンテンツを選択する。よって、ユーザーは、第２の映像コンテンツが検出されなくても映像コンテンツを視聴できるため、利便性が向上する。さらに、制約有無判定部１２７が第１の映像コンテンツが利用上の制約に触れるか否かを判定するため、ユーザーは、著作権侵害等の可能性を心配することなく、映像コンテンツを視聴することができる。
【００９２】
また、本実施の形態３における映像コンテンツ検索方法は、（ｄ）映像コンテンツ検索装置３００に備わる制約有無判定部１２７が、予め定めた条件に従って、第１の映像コンテンツが利用上の制約に触れるか否かを判定する工程と、（ｅ）選択部１１７が第１の映像コンテンツの解像度と、第２の映像コンテンツの解像度とを比較する工程と、をさらに備え、工程（ｂ）において第２の映像コンテンツを検出した場合であって、工程（ｄ）において第１の映像コンテンツが利用上の制約に触れないと判定された場合、工程（ｃ）において、選択部１１７は、工程（ｅ）において解像度がより大きいと判定された映像コンテンツを利用コンテンツとして選択する。
【００９３】
本実施の形態３では、第２の映像コンテンツが検出された場合であって、制約有無判定部１２７が第１の映像コンテンツが利用上の制約に触れないと判定した場合は、第１、第２の映像コンテンツの解像度の比較を行う。そして、選択部１１７は、解像度のより高い映像コンテンツを選択する。よって、ユーザーは、より画質の高い映像コンテンツを視聴可能である。さらに、制約有無判定部１２７が第１の映像コンテンツが利用上の制約に触れるか否かを判定するため、ユーザーは、著作権侵害等の可能性を心配することなく、映像コンテンツを視聴することができる。
【００９４】
＜実施の形態４＞
実施の形態１では、映像コンテンツ検索装置１００を液晶テレビであるとして説明を行ったが、映像コンテンツ検索装置１００は必ずしも液晶テレビでなくともよい。本実施の形態４では、映像コンテンツ検索装置１００はホームサーバ２０６又はレコーダ２０７であるとする。この場合、ホームサーバ２０６又はレコーダ２０７から出力される映像は、ディスプレイ２０５に表示される。
【００９５】
なお、映像コンテンツ検索装置１００をホームサーバ２０６又はレコーダ２０７とする場合は、チューナー部１０９は必ずしも備えなくてよい。
【００９６】
＜実施の形態５＞
実施の形態１では、映像コンテンツ検索装置１００を液晶テレビであるとして説明を行ったが、映像コンテンツ検索装置１００は必ずしも液晶テレビでなくともよい。本実施の形態５では、映像コンテンツ検索装置１００はＰＣ２０８であるとする。ＰＣ２０８がディスプレイを備えている場合は、ユーザーは、ＰＣ２０８のディスプレイで映像コンテンツを視聴する。ＰＣ２０８がディスプレイを備えていない場合はＰＣ２０８から出力される映像は、例えば、外部のディスプレイ２０５に表示される。
【００９７】
＜実施の形態６＞
近年、リモート視聴やＤＴＣＰ＋など、ホームネットワーク内の蓄積コンテンツをインターネットを介して携帯情報端末２１４で視聴するサービスが始まった。本実施の形態６では、ユーザーが携帯情報端末２１４を利用して映像コンテンツを視聴する場合を考える。
【００９８】
実施の形態１では、映像コンテンツ検索装置１００の映像表示部１２１に映像を表示した。一方、本実施の形態６では、ネットワークインターフェース部１２４から、ホームネットワーク２０９およびインターネット２１０を介して携帯情報端末２１４に映像信号を送信する。映像信号および音声信号を出力するまでの処理は映像コンテンツ検索装置１００が行い、携帯情報端末２１４は映像信号および音声信号を受信して表示および出力する。
【００９９】
＜実施の形態７＞
実施の形態１では、著作権上の問題の多い動画共有サービス上のコンテンツに対して再生操作が行われた場合に、その映像コンテンツと同一性を有する映像コンテンツを検出する動作を説明した。本実施の形態７では、正規の動画配信サービス上の映像コンテンツに対して再生操作が行われた場合に、そのコンテンツに相当するコンテンツを検出する動作を行う。
【０１００】
正規の動画配信サービス上の映像コンテンツに対して再生操作が行われた場合であっても、その映像コンテンツと同一の映像コンテンツを例えばストリーム蓄積部１１３から検出することにより、各種トリックプレイ（例えば、早送り、巻き戻し、スロー再生等）を豊富に利用できる。また、検出されたコンテンツの解像度がより高い場合は、ユーザーはより高品質な映像を視聴することができる。
【０１０１】
＜まとめ＞
最後に、本発明の社会的意義および本発明の特徴についてまとめる。近年、インターネットの利用はますます増加しており、提供されるサービスも多岐にわたっている。かつては放送番組を視聴するには、放送時間帯にテレビで放送を受信してリアルタイムに視聴するか、手持ちのレコーダで録画しておき、後ほど再生視聴するしか手段が無かった。しかしながらインターネットの普及に伴い、インターネット上で各種動画を視聴する事が簡単にできる様になり、動画を視聴する際のポータルサービスとして、数多くの動画共有サービスがインターネット上で提供されている。
【０１０２】
動画共有サービスというのは簡単なユーザー登録さえ済ませれば、不特定のユーザーが任意にコンテンツをアップロードし共有された動画を、誰もが自由に視聴できるものである。建前上は利用上の制約を遵守することを謳っているものの、共有された動画の著作権については厳格に管理されていないのが実情である。結果として、放送番組をキャプチャーしたユーザーが、動画共有サイトにキャプチャーした映像コンテンツを放送終了直後から次々とアップロードし、番組を見逃した多くのユーザーがそれらの映像コンテンツを視聴する事が当たり前のように行われている。
【０１０３】
しかしながら、放送番組は放送局に著作権があり、私的録画と視聴以外の二次利用は認められていない。上記の動画共有サービスに放送コンテンツをアップロードする行為も、それを視聴する行為も、明らかに複製および利用上の制約（例えば、著作権侵害）に触れる。
【０１０４】
一方で、近年はＨＤＤの大容量化が進み、番組指定や時刻指定だけでなく、ひとまず放送中の番組を丸ごと録っておく事が出来る様になった。更にはチューナーを多数搭載し、全録サーバと称して例えば一週間分の地上波放送全局の番組を丸ごと録っておく様なホームサーバも登場している。
【０１０５】
動画共有サービスにアップロードされた放送番組の映像コンテンツを視聴するニーズは放送日の直後数日間が圧倒的に多い事から、視聴したい放送コンテンツが前述の全録サーバ内に残っている可能性は非常に高く、この録画コンテンツを視聴する分には私的録画と視聴の範囲であり問題ない。
【０１０６】
本発明によれば、利用上の制約に触れる可能性が高い映像コンテンツの視聴を私的録画物の視聴に振り替える事で、ユーザーが安心して視聴する事ができる。更に、レコーダやサーバの録画コンテンツは画質の劣化が殆ど無く、高解像度での視聴ができるという特長を有する。
【０１０７】
なお、本発明は、その発明の範囲内において、各実施の形態を自由に組み合わせたり、各実施の形態を適宜、変形、省略することが可能である。
【符号の説明】
【０１０８】
１００，２００，３００  映像コンテンツ検索装置、１０１  ＣＰＵ、１０２  ＲＯＭ、１０３  ＲＡＭ、１０４  コンテンツ情報記憶部、１０５  操作入力受信部、１０６  操作入力部、１０７  アンテナ、１０８  アンテナ信号、１０９  チューナー部、１１０  信号復調部、１１１  受信コンテンツ情報、１１２  トランスポートストリームデコーダ部、１１３  ストリーム蓄積部、１１４  ストリーム制御部、１１５  ＡＶデコーダ部、１１６  解像度判別部、１１７  選択部、１１８  検索部、１１９  映像制御部、１２０  音声制御部、１２１  映像表示部、１２２  音声出力部、１２３  通信バス、１２４  ネットワークインターフェース部、１２５  ネットワーク、１２６  配信コンテンツ情報、１２７  制約有無判定部、２０１  放送局、２０２  放送波、２０４  宅内、２０５  ディスプレイ、２０６  ホームサーバ、２０７  レコーダ、２０８  ＰＣ、２０９  ホームネットワーク、２１０  インターネット、２１１  動画共有サービス、２１２  有料動画配信サービス、２１３  無線通信、２１４  携帯情報端末。
【図１】
0006436797.tif 000002
【図２】
0006436797.tif 000003
【図３】
0006436797.tif 000004
【図４】
0006436797.tif 000005
【図５】
0006436797.tif 000006
【図６】
0006436797.tif 000007